(57)【要約】【課題】異なるタイプのケース本体に共通に使用可能で、汎用性を高めることのできる蓋体を提供する。【解決手段】第１タイプの時計ケース１の底板２には、前方係止部２１と後方部には後方係止部２２が形成され、蓋体３は時計ケース１との係合手段として、板状本体部３１の一端に屈折部３２に２つの腕部３３が形成され、この腕部間に軸部３４が架設してある。この腕部は前方係止部２１の背面内方に挿入し、係止爪３６を底板２の後方係止部２２に係止し、蓋体３を時計ケース１に着脱可能に連結する。また、蓋体３を第２タイプの時計ケース１０に取付ける時は、この蓋体３の軸部３４をこの時計ケースの軸受部４１に回転自在にヒンジ結合できるようになっている。【選択図】      図２
2005022656.tif 000002
【特許請求の範囲】
【請求項１】
開口部を有するケース本体に上記開口部を塞ぐように嵌合装着される蓋体であって、
上記蓋体には、板状本体部の一側に上記開口部の周縁部に係合可能に突出形成された少なくとも１対の腕部と、上記腕部間に架設された上記ケース本体または上記ケース本体に内蔵された部材に設けられた軸受部に係合可能な軸部と、上記板状本体部の他側に突出形成され、かつ、上記ケース本体または上記ケース本体に内蔵された部材に係合及び弾性変形可能な係止爪とが備わっており、
上記蓋体の上記開口部への嵌合装着には、上記腕部または上記軸部が選択的に使用可能であることを特徴とする蓋体。
【請求項２】
開口部を有するケース本体に上記開口部を塞ぐように嵌合装着される蓋体であって、
上記蓋体には、板状本体部の一側に上記開口部の周縁部に係合可能に突出形成された少なくとも１対の腕部と、上記腕部先端に設けられた上記ケース本体または上記ケース本体に内蔵された部材に設けられた軸部に係合可能な軸受部と、上記板状本体部の他側に突出形成され、かつ、上記ケース本体または上記ケース本体に内蔵された部材に係合及び弾性変形可能な係止爪とが備わっており、
上記蓋体の上記開口部への嵌合装着には、上記腕部または上記軸受部が選択的に使用可能であることを特徴とする蓋体。
【発明の詳細な説明】
【０００１】
【発明の属する技術分野】
本発明は時計の裏蓋、旅行用時計の蓋、パーソナルコンピュータの操作パネルを隠すための蓋などに適用できる蓋体に関する。
【０００２】
【従来の技術】
従来から時計ケースの内部には、ステップモータとこの回転駆動力を伝達する減速輪列とを内蔵する時計ムーブメントが固定してあり、さらに、電池収納部が設けてあり、電池が消耗すると電池を交換できるようになっている。そして、時計ケースの背面には、指針修正のとき、又は電池交換時に必要な開口が形成してあり、この開口には蓋体、例えば裏蓋（いわゆる子蓋）が嵌合するように取付けてある。
【０００３】
ところで、時計ケースは裏蓋を開口に取付け連結する構造の違いにより、第１、第２の２つのタイプに分けることができ、その第１のタイプのものはこの裏蓋を時計ケースの開口に取付けたり、この開口から外したりできるように着脱可能に取付けるものであり、第２のタイプの構造は裏蓋の一辺を時計ケースにヒンジ結合させ、この裏蓋を時計ケースに対し回転可能な構造にして開口を開閉することができるものである。
【０００４】
そこで、先ず第１のタイプの時計ケースに適用される裏蓋の構造から説明すると、この裏蓋は時計ケースとは別体で形成されたもので、この裏蓋は全体的に矩形状で、この裏蓋の一側の端部には２つの係止突起が突設してあり、この係止突起と対向する他側には１つの爪部が突設してある。そして、裏蓋を時計ケースに取付けるには、先ず係止突起を電池収納部の前方に位置する開口の一方の縁部の内側に係止し、次に爪部を電池収納部の他方の縁部に当接させ、強く押すと係止突起とこの爪部が電池収納部の縁に係合し、この電池収納部を覆うようにして時計ケースの背面の開口に嵌合した状態で固定される。また、裏蓋の爪部と係止突起とを電池収納部の開口の縁部から離脱させると、この裏蓋は時計ケースから取外すことができる（例えば、特許文献１参照。）。
【０００５】
次に、第２のタイプの時計ケースに適用される裏蓋の構造について説明すると、裏蓋の一側には先端に爪部を有する係止体を形成し、他側には軸部を形成し、時計のケース本体には、裏蓋の前記軸部が回転自在に嵌合する係合凹部が形成してある。そこで、裏蓋の軸部を時計のケース本体の係合凹部に圧入してヒンジ結合させることにより、この裏蓋の軸部は係合凹部を回転中心として開閉自在に取付け、開口を開閉するものである（例えば、前記特許文献１参照。）。
【０００６】
【特許文献１】
特開２０００−７５０５６号公報（段落番号「０００３」〜「０００５」、「００１５」〜「００１７」、第５図、第６図）
【０００７】
【発明が解決しようとする課題】
ところで、前記第１のタイプの時計ケースに適用される裏蓋は電池サイズ・本数に応じて汎用的に使用できるものが多いが、第２のタイプの時計ケースに適用される裏蓋は、製品ごとに時計ケースの構造に対応してその外観形状が異なるものであり、さらに、時計ケースには、前記したように、第１のタイプと第２のタイプの２種類のものがあることで蓋体の汎用性を低いものとしている。即ち、裏蓋は時計ケースの第１のタイプ用のもの、第２タイプ用のものがそれぞれ必要であった。
【０００８】
そこで本発明の目的は、異なるタイプのケースに共通に使用可能で、汎用性を高めることのできる蓋体を提供することにある。
【０００９】
【課題を解決するための手段】
本発明に係る蓋体の第１の特徴は、開口部を有するケース本体に上記開口部を塞ぐように嵌合装着される蓋体であって、上記蓋体には、板状本体部の一側に上記開口部の周縁部に係合可能に突出形成された少なくとも１対の腕部と、上記腕部間に架設された上記ケース本体または上記ケース本体に内蔵された部材に設けられた軸受部に係合可能な軸部と、上記板状本体部の他側に突出形成され、かつ、上記ケース本体または上記ケース本体に内蔵された部材に係合及び弾性変形可能な係止爪とが備わっており、上記蓋体の上記開口部への嵌合装着には、上記腕部または上記軸部が選択的に使用可能であるところにある。
【００１０】
また、本発明の第２の特徴は、開口部を有するケース本体に上記開口部を塞ぐように嵌合装着される蓋体であって、上記蓋体には、板状本体部の一側に上記開口部の周縁部に係合可能に突出形成された少なくとも１対の腕部と、上記腕部先端に設けられた上記ケース本体または上記ケース本体に内蔵された部材に設けられた軸部に係合可能な軸受部と、上記板状本体部の他側に突出形成され、かつ、上記ケース本体または上記ケース本体に内蔵された部材に係合及び弾性変形可能な係止爪とが備わっており、上記蓋体の上記開口部への嵌合装着には、上記腕部または上記軸受部が選択的に使用可能であるところにある。
【００１１】
【発明の実施の形態】
以下、図面を参照して本発明の実施の態様を説明すると、図１、図２は時計ケースの第１タイプのものを示すもので、このタイプの時計ケースに蓋体を着脱可能に時計ケースに取付けたり、または時計ケースから取外したりするものである。その具体的な構成は、図１において、ケース本体、例えば時計ケース１の底面に固定してある底板２には開口２ａが形成してあり、この開口２ａには蓋体（いわゆる子蓋）３が着脱可能に取付けることができる。時計ケース１の内部には、時計ムーブメントなどが装備してあるが、図２に示してあるように、電池収納部４が固定的に設置してあり、電池が消耗すると蓋体３を取り外して開口２ａから電池を交換できるようになっている。
【００１２】
時計ケース１の底板２の形状は、前方部（図２の上方）には段差をもって屈折した開口２ａの周縁部である前方係止部２１が形成され、この係止部の前方は凹部になっている。さらに、底板２の後方部（図２の下方）には屈折した後方係止部２２が形成され、この後方係止部２２の前方は空隙部１１になっている。
【００１３】
ところで、蓋体３は弾性質の合成樹脂で一体的に形成されたもので、この蓋体３に形成してある係合手段、つまり時計ケース１との係合手段の構造について説明すると、平坦な板状本体部３１の前方部（図１、２の上方）は、図１に示すように、直線状の縁部になっており、この縁部は時計ケース内方に向けて直角に屈折した屈折部３２になっており、この屈折部３２の前端面の２箇所には対向する２つの腕部３３，３３が形成され、この腕部間に軸部３４が架設してある。
【００１４】
また、屈折部３２における腕部３３が形成されていない角部の先端面３５の幅は底板２の前方係止部２１の厚さと同じもので、この先端面は底板２の前方係止部２１の下端面、つまり開口２ａの周面に接合可能であり、さらに、この腕部３３，３３は前方係止部２１の背面内方に挿入可能である。また、蓋体３の後方には突起部３７が設けてあり、また、時計ケース１に向けて突出した係止爪３６が形成され、この係止爪３６は底板２の後方係止部２２に係止可能である。なお、時計ケース１の前方（図２の上方）には前枠５が取付けてある。
【００１５】
したがって、蓋体３を第１タイプの時計ケース１の開口２ａに取付け嵌合させるときは、この蓋体３の屈折部３２から突出している腕部３３を、底板２の前方係止部２１の背面に挿入し、そのまま屈折部３２の先端面３５を前方係止部２１の開口端面に当接させ、そこで蓋体３を時計ケース１に近接させる方向（図２反時計方向）に回転させ押圧すると、係止爪３６はやや屈曲されながら後方係止部２２に係止される。そのため、蓋体３は係止爪３６の屈曲により発生する反力による弾性力が、この蓋体３の先端面３５を前方係止部２１の端面に弾接させる力となって作用し、この蓋体３は底板２に安定的に位置保持される。
【００１６】
また、蓋体３を時計ケース１から取外すときは、空隙部１１に指先を進入させて蓋体３の突起部３７を手前に引くことにより係止爪３６を内方に曲げて後方係止部２２から外し、その状態で外方向（図２時計方向）に回転させて引き抜くと、蓋体３の腕部３３は底板２の前方係止部２１から離脱してこの蓋体３をこの底板２の開口２ａから取外すことができる。このように蓋体３２は時計ケース１の後方係止部２２に係合可能である。
【００１７】
次に、図３、図４を参照して時計ケースの第２のタイプのものについて説明すると、図３において、ケース本体１０、例えば時計ケースの底板２０には開口２０ａが形成してあり、この開口２０ａには蓋体（子蓋）３がヒンジ結合により回転可能に取付けてある。時計ケース１０の内部には時計ムーブメントなどが装備してあり、図４に示してあるように、電池収納部４０が固定的に設置してあり、電池が消耗すると開口２０ａから電池を交換できるようになっている。そして、この第２タイプの時計ケース１０内に装置してある電池収納部４０の構造が、前記の第１のタイプのものと異なり、この電池収納部４０には、２つの軸受部４１が固定的に底板２０方向に向けて突設してある。この軸受部４１の構造は、その一部が一方向（図４の下方向）に向けてＵ字溝状に開口しているものである。そして、２つの軸受部４１，４１の間隔は、図３に示すように、蓋体３の腕部３３，３３間に架設してある軸部３４，３４の間の距離と同じである。さらに、電池収納部４０の下方部には係止穴４２が形成してある。
【００１８】
また、時計ケース１０に取付けてある底板２０の形状は、前方（図３、４の上方）では段差をもって屈折した屈折部２１１が形成してあり、この屈折部の前方は凹部になっている。そして、この屈折部２１１に近接した位置に軸受部４１の先端部が露呈している。
【００１９】
したがって、蓋体３を時計ケース１０に取付けるときは、この蓋体３の軸部３４，３４を軸受部４１，４１のそれぞれの下方の開口部から圧入すると、この蓋体３はこの軸部３４を中心として回転自在となり、そのまま蓋体３を図４反時計方向に回転させ、係止爪３６を電池収納部４０の係止穴４２に係止する。また、蓋体３を時計ケース１０から取外すときは、空隙部１１０に指先を進入させ蓋体３の突起部３７を手前に引くことにより、係止爪３６を内方に屈曲させて係止穴４２から外し、軸部３４を中心として図４時計方向に回転させて開口２０ａを開く。これにより、蓋体３が本体ケース１０から外れることなく電池の交換が可能となる。このように、第２のタイプの時計ケース１０では蓋体３は軸部３４と軸受部４１とのヒンジ結合により取付けられるものである。
【００２０】
このように蓋体３は第１、第２の時計ケース１，１０の２つの異なるタイプ、つまりこの蓋体３を腕部３３及び係止爪３６によって着脱可能に取付けるもの、または軸部３４と軸受部４１とのヒンジ結合により回転可能に取付けるもの、のいずれにも選択的に係合可能であるため汎用性がある。
【００２１】
なお、前記の実施の態様では軸受部をケース本体に内蔵された電池収納部に設けたが、ケース本体に軸受部を設けても良い。さらに、蓋体の方にこの軸受部に回転可能に嵌合する軸部を設けたが、これは相対的なもので、蓋体の方に軸受部を設け、ケース本体またはケース本体に内蔵された電池収納部に軸部を設けたものでもよい。
【００２２】
【発明の効果】
本発明に係る蓋体によると、異なるタイプのケース本体に共通に使用可能となり、従来のようにケース本体の構造に対応して外観形状が異なる蓋体を準備する必要がなくなる。このため、蓋体の汎用性が高まり、大量に生産することができ、生産コストの引下げに有効であり、さらに在庫管理も容易になる。
【図面の簡単な説明】
【図１】第１タイプのケース本体に蓋体を取付けた状態の正面図である。
【図２】図１のＡ−Ａ線断面図である。
【図３】第２タイプのケース本体に蓋体を取付けた状態の正面図である。
【図４】図２のＢ−Ｂ線断面図である。
【符号の説明】
１      第１タイプのケース本体（時計ケース）
２      底板
２ａ    開口
２１    前方係止部
２２    後方係止部
１０    第２タイプのケース本体（時計ケース）
２０    底板
２０ａ  開口
３      蓋体
３１    板状本体部
３２    屈折部
３３    腕部
３４    軸部
３５    先端面
３６    係止爪
４      電池収納部
４０    電池収納部
４１    軸受部
４２    係止穴
【図１】
2005022656.tif 000003
【図２】
2005022656.tif 000004
【図３】
2005022656.tif 000005
【図４】
2005022656.tif 000006